(57)【要約】【課題】塗装についての作業工数及びコストを削減することができ、しかもガーニッシュの塗装の色とこのガーニッシュが取付けられる車両構成部品の塗装の色との色合わせを良好に行うことができると共に、組付時におけるガーニッシュ及び車両構成部品どうしの傷つきを生じないで済むようにしたガーニッシュの取付構造を提供する。【解決手段】ガーニッシュ３の固定保持用係止部αに仮保持用係止部βを更に設け、車両構成部品（例えばフロントバンパ２）及びガーニッシュ３の塗装時に、仮保持用係止部βを車両構成部品の被係止部（例えばフロントバンパ２の取付穴８）に係合させることにより、ガーニッシュ３を車両構成部品に対して正規の組付位置の前の位置に仮保持し得るように構成する。【選択図】        図３
2004352002.tif 000002
【特許請求の範囲】
【請求項１】
車両構成部品にガーニッシュを正規の組付位置に固定状態で取付けるための固定保持用係止部を前記ガーニッシュの裏面側に設け、前記ガーニッシュの固定保持用係止部を前記車両構成部品の被係止部に係着させることにより、前記ガーニッシュを前記車両構成部品に対して正規の組付位置に取付けるようにしたガーニッシュの取付構造において、前記ガーニッシュの固定保持用係止部に仮保持用係止部を更に設け、前記車両構成部品及びガーニッシュの塗装時に、前記仮保持用係止部を前記車両構成部品の被係止部に係合させることにより、前記ガーニッシュを前記車両構成部品に対して前記正規の組付位置の前の位置に仮保持し得るように構成したことを特徴とするガーニッシュの取付構造。
【請求項２】
前記ガーニッシュの固定保持用係止部に係止爪を形成すると共に、前記固定保持用係止部の先端に前記仮保持用係止部として更にもう１段の係止爪を形成したことを特徴とする請求項１に記載のガーニッシュの取付構造。
【請求項３】
前記仮保持用係止部を、少なくとも前記ガーニッシュの左右方向両端箇所の近傍位置の上下両部に設けられる固定保持用係止部の先端に延設したことを特徴とする請求項１又は２に記載のガーニッシュの取付構造。
【請求項４】
前記仮保持用係止部を、少なくとも前記ガーニッシュの左右方向の両側端部に設けられる固定保持用係止部の先端に延設したことを特徴とする請求項１又は２に記載のガーニッシュの取付構造。
【請求項５】
前記仮保持用係止部の形状を前記固定保持用係止部の形状とほぼ同様に形成したことを特徴とする請求項１乃至４の何れか１項に記載のガーニッシュの取付構造。
【請求項６】
前記仮保持用係止部の先端に、前記車両構成部品の被係合部に前記仮保持用係止部をガイドするためのガイド部を更に設けたことを特徴とする請求項１乃至５の何れか１項に記載のガーニッシュの取付構造。
【請求項７】
前記車両構成部品が自動車のフロントバンパ又はリヤバンパであることを特徴とする請求項１乃至５の何れか１項に記載のガーニッシュの取付構造。
【発明の詳細な説明】
【０００１】
【発明の属する技術分野】
本発明は、自動車などの車両におけるガーニッシュの取付構造に関し、特に、自動車のフロントバンパやリヤバンパなどへのガーニッシュの取付構造（例えば、樹脂部品どうしの合わせ部を有する組付構造）に適用して好適なものである。
【０００２】
【従来の技術】
例えば、自動車のフロントバンパやリヤバンパなどの樹脂バンパ２０に樹脂部品であるガーニッシュ（キャップ）２１を取付ける場合には、図７に示すように、樹脂バンパ２０に複数の取付穴２２を設けると共に、ガーニッシュ本体部２１ａの裏面側に複数の係止部２３を設けて、これらの係止部２３を前記取付穴２２にクリック係合させることによりガーニッシュ２１を樹脂バンパ２０に固定状態で取付けるようにしている（例えば、特許文献１参照）。なお、この係止部２３は、ガーニッシュ本体部２１ａの裏面側に一体成形された一対の弾性突片部２４と、これらの弾性突片部２４の先端箇所の外側面にそれぞれ一体成形された係止爪（クリック係合爪）２５とから構成されている。
【０００３】
ガーニッシュ２１を樹脂バンパ２０に取付けた状態でその全体を一緒に塗装するようにすると、これら両部品２０，２１間の合わせ部（見切り部）Ｓには塗膜が付きにくいという不具合がある。すなわち、外観を塗装する場合に、その外観部分（塗装部分）に樹脂バンパ２０とガーニッシュ２１との合わせ部Ｓが存在する場合に、部品組立状態で一体塗装を行うと、図８において符号Ｓで示す合わせ部の領域Ｒには塗装が施されにくいのが実状である。このように合わせ部Ｓにおける塗装が不良となると、外観品質が損なわれるという不具合を生じるおそれがある。
【０００４】
そこで、従来では、上述の如き不具合を回避するために、樹脂バンパ２０及びガーニッシュ２１を別個に塗装し、塗装を個々に施した後に樹脂バンパ２０へのガーニッシュ２１の組付けを行うようにしている。
【０００５】
【特許文献１】
特開平１１−１３９３５３号
【０００６】
【発明が解決しようとする課題】
しかしながら、樹脂バンパ２０及びガーニッシュ２１を別個に塗装してからこれらの両部品２０，２１の組付けを行う場合には、個々の塗装に作業工数及びコストがかかる上に、別個の塗装となるので塗装条件の相違などにより両部品２０，２１どうしの色を合わせるのが難しいのが実状である。しかも、塗装後における組付作業の際に、両部品２０，２１間の接触により外部部分に傷がつくなどの不具合を生じるおそれがある。
【０００７】
本発明は、このような実状に鑑みてなされたものであって、その目的は、塗装についての作業工数及びコストを削減することができ、しかもガーニッシュの塗装の色とこのガーニッシュが取付けられる車両構成部品の塗装の色との色合わせを良好に行うことができると共に、組付時におけるガーニッシュ及び車両構成部品どうしの傷つきを生じないようにしたガーニッシュの取付構造を提供することにある。
【０００８】
【課題を解決するための手段】
上述の目的を達成するために、本発明では、車両構成部品にガーニッシュを正規の組付位置に固定状態で取付けるための固定保持用係止部を前記ガーニッシュの裏面側に設け、前記ガーニッシュの固定保持用係止部を前記車両構成部品の被係止部に係着させることにより、前記ガーニッシュを前記車両構成部品に対して正規の組付位置に取付けるようにしたガーニッシュの取付構造において、前記ガーニッシュの固定保持用係止部に仮保持用係止部を更に設け、前記車両構成部品及びガーニッシュの塗装時に、前記仮保持用係止部を前記車両構成部品の被係止部に係合させることにより、前記ガーニッシュを前記車両構成部品に対して前記正規の組付位置の前の位置に仮保持し得るように構成している。
また、本発明では、前記ガーニッシュの固定保持用係止部に係止爪を形成すると共に、前記固定保持用係止部の先端に前記仮保持用係止部として更にもう１段の係止爪を形成するようにしている。
また、本発明では、前記仮保持用係止部を、少なくとも前記ガーニッシュの左右方向両端箇所の近傍位置の上下両部に設けられる固定保持用係止部の先端に延設するようにしている。
また、本発明では、前記仮保持用係止部を、少なくとも前記ガーニッシュの左右方向の両側端部に設けられる固定保持用係止部の先端に延設するようにしている。
また、本発明では、前記仮保持用係止部の形状を前記固定保持用係止部の形状とほぼ同様に形成するようにしている。
また、本発明では、前記仮保持用係止部の先端に、前記車両構成部品の被係合部に前記仮保持用係止部をガイドするためのガイド部を更に設けるようにしている。
また、本発明では、前記車両構成部品が自動車のフロントバンパ又はリヤバンパであるようにしている。
【０００９】
【発明の実施の形態】
以下、本発明の実施形態について図１〜図６を参照して説明する。
【００１０】
図１は、本発明の一実施形態に係るガーニッシュの取付構造を備えた自動車１を示すものであって、同図において、２は例えば樹脂成形品から成るフロントバンパ、３はこのフロントバンパ２の下端縁の箇所であって車幅方向（左右方向）の一端側に片寄った箇所に着脱可能に取付けられたガーニッシュ（キャップ）である。上述のガーニッシュ３は、例えばフロントバンパ２の材質と同様の樹脂にて一体成形して成る部品であり、車体に取付けられた牽引用フック（図示せず）に対応する位置においてフロントバンパ２の開口を覆うようにフロントバンパ２に装着される装飾用部品である。
【００１１】
図２に示すように、本実施形態におけるガーニッシュ３は、従来のガーニッシュと同様に、ガーニッシュ本体部（キャップ本体部）３ａと、このガーニッシュ本体部３ａの裏面の複数箇所にそれぞれ一体成形された固定保持用係止部αとを備えており、これらの固定保持用係止部αの先端に仮保持用係止部βが更に設けられている。具体的には、固定保持用係止部αは、ガーニッシュ本体部３ａの裏面側に一体成形された一対の弾性突片部５ａと、これらの弾性突片部５ａの先端箇所の外側面にそれぞれ一体成形された一対の固定保持用係止爪（正規位置組付用係止爪）６とで構成されており、仮保持用係止部βは、既述の固定保持用係止爪６の先端において前記弾性突片部５ａの突出方向に沿ってそれぞれ延設された一対の延設部５ｂと、これらの延設部５ｂの先端箇所の外側面にそれぞれ一体成形された一対の仮保持用係止爪７とで構成されている。
【００１２】
従って、ガーニッシュ本体部３ａの裏面側には、フロントバンパ２にガーニッシュ３を正規の組付位置に固定状態で取付けるための固定保持用係止爪６が従来の場合と同様に設けられており、ガーニッシュ３の固定保持用係止爪６をフロントバンパ２の被係止部（図３に示す取付穴８の周縁部）に係着させることにより、ガーニッシュ３がフロントバンパ２に対して正規の組付位置に取付けられるようになっている（図３（Ｂ）参照）。そして、本実施形態においては、ガーニッシュ３の固定保持用係止部αに仮保持用係止部βが延設されており、固定保持用係止部αを構成する固定保持用係止爪６のそれぞれの先端側に仮保持用係止βとして更にもう１段の仮保持用係止爪７が一体形成されている。これにより、フロントバンパ２及びガーニッシュ３の塗装時に、ガーニッシュ３の仮保持用係止爪７をフロントバンパ２の取付穴８の周縁部に係合させることにより、ガーニッシュ３をフロントバンパ２に対して正規の組付位置の１ステップ前の位置（すなわち、図３（Ａ）に示すような仮保持位置）に仮保持し得るように構成されている。
【００１３】
なお、仮保持用係止部βを構成する延設部５ｂの形状は、固定保持用係止部αを構成する弾性突片部５ａの形状とほぼ同様となされると共に、仮保持用係止部βを構成する仮保持用係止爪７の形状は、固定保持用係止部αを構成する固定保持用係止爪６の形状とほぼ同様となされている。
【００１４】
更に、上述の仮保持用係止爪７のそれぞれの先端側には、図２及び図３に示すように、フロントバンパ２の取付穴８に差し込んで仮保持用係止爪７をガイドするための一対のガイド部９が一体成形されている。なお、これら一対のガイド部９の外側面の間の間隔は、フロントバンパ２の取付穴８の寸法よりも僅かに小さく設定されている。かくして、ガーニッシュ３の裏面側には、固定保持用係止爪６が第１段目の突出部として配設され、仮保持用係止爪７が第２段目の突出部として配設され、ガイド部９が第３段目として配設されている。
【００１５】
ここで、フロントバンパ２へのガーニッシュ３の取付け並びにこれら両部品の塗装の作業について述べると次の通りである。まず、ガーニッシュ３のガイド部９をフロントバンパ２の取付穴８に差し込み、ガイド部９による案内作用にてガーニッシュ３の仮保持用係止爪７をフロントバンパ２の取付穴８の前方位置に配置する。次いで、ガーニッシュ本体部３ａを押し込むことによりガーニッシュ３の仮保持用係止爪７をフロントバンパ２の取付穴８にクリック係合させ、図３（Ａ）に示す如き仮保持位に仮保持する。そして、この仮保持状態の下で、フロントバンパ２及びガーニッシュ３の塗装作業を行う。
【００１６】
このようにガーニッシュ２を正規の組付位置に固定保持する前にガーニッシュ３をフロントバンパ２に仮保持状態で組付けて塗装作業を行うことによって、ガーニッシュ３及びフロントバンパ２の両部品を同時にかつ良好に塗装することが可能である。すなわち、本実施形態におけるガーニッシュ３は、従来と同様の固定保持用係止爪６による組付構造に加えて更にもう一段の仮保持用係止爪７を設けてあるので、この仮保持用係止爪７をフロントバンパ２の取付穴８にクリック係合させて図３（Ａ）に示す如くフロントバンパ２の取付穴８の周縁部を仮保持用係止爪７と固定保持用係止爪６との間に挟持した状態で係着することにより、ガーニッシュ３を正規の組付位置（図３（Ｂ）に示す位置）に対して１ステップ前の位置、すなわち、ガーニッシュ本体部３ａの周面３ｂがフロントバンパ２のガーニッシュ収容用凹部１０から突出する位置に仮保持できることとなる。従って、このような仮保持による組付状態の下でガーニッシュ３及びフロントバンパ２に対して同時に塗装作業を施せば、ガーニッシュ本体部３ａ及びフロントバンパ２の前面部分に塗装材料を吹き付けることができると共に、ガーニッシュ本体部３ａの周面３ｂとフロントバンパ２のガーニッシュ収容用凹部１０との間に大きく確保された間隙Ｇ（図３（Ａ）参照）を通して塗装材料を上述の周面３ｂ及びガーニッシュ収容用凹部１０に吹き付けることができる。その結果、これらの部分に塗装を良好に施すことができると共に同じ外観を呈する良好な塗膜を形成することができ、同一の塗色の外観にすることができる。
【００１７】
そして、仮保持状態で塗装を行った後に、図３（Ａ）に示すような仮保持位置にあるガーニッシュ３をフロントバンパ２の側に押し込むことにより、図３（Ｂ）に示すようにガーニッシュ３の固定保持用係止爪６をフロントバンパ２の取付穴８にクリック係合させて前記固定保持用係止爪６とガーニッシュ本体部３ａとの間にフロントバンパ２の取付穴８の周縁部を挟持した状態にするだけで、ガーニッシュ３を正規の組付位置すなわちガーニッシュ本体部３ａがフロントバンパ２のガーニッシュ収容凹部１０内に収容配置されてガーニッシュ本体部３ａの表面とフロントバンパ２の表面とがほぼ面一に配置されるような正規の組付位置に容易に取付けることができる。
【００１８】
従って、上述のガーニッシュ３を用いれば、仮保持状態で塗装を行い、塗装終了後にガーニッシュ３を押し込むだけでガーニッシュ３をフロントバンパ２に対して正規の組付位置に容易に取付けることができ、しかもガーニッシュ３をフロントバンパ２と一緒に（同時に）に塗装を施すことができるので外観品質を良好にすることができ、１回の工程で塗装作業を終了できる。
【００１９】
また、図４及び図５は、本発明の別の実施形態を示すものであって、本実施形態においては、ガーニッシュ本体部３ａ’の裏面側の周縁箇所に設けられる複数（例えば８つ）の係止部１１ａ〜１１ｈのうち、少なくともガーニッシュ３’の左右方向両端箇所の近傍位置の上下両部に設けられる４つの係止部１１ａ，１１ｄ，１１ｅ，１１ｈに仮保持用係止部βがそれぞれ設けられている。具体的には、これらの係止部１１ａ，１１ｄ，１１ｅ，１１ｈは、ガーニッシュ本体部３ａ’の裏面側に一体成形により形成されたものであって、ガーニッシュ本体部３ａ’の裏面側に向けて延びる突片１２と、この突片１２の付け根箇所の近傍に一体成形された固定保持用係止爪１３と、前記突片１２の先端箇所の近傍であってかつ前記固定保持用係止爪１３から所定の間隔を隔てた位置に一体成形された仮保持用係止爪１４とからそれぞれ構成されている。従って、前記係止部１１ａ，１１ｄ，１１ｅ，１１ｈにおいては、突片１２及び固定保持用係止爪１３から成る固定保持用係止部αの先端に、突片１２及び仮保持用係止爪１４から成る仮保持用係止部βが延設されている。なお、このような仮保持用係止部βを全ての係止部１１ａ〜１１ｈに設けるようにしても良い。
【００２０】
かくして、上述のガーニッシュ３’をフロントバンパ２に組付ける際には、まず図５（Ａ）に示すようにガーニッシュ３’  の係止部１１ａ，１１ｄ，１１ｅ，１１ｈの仮保持用係止爪１４をフロントバンパ２の取付穴（係合孔）８に押し込んでクリック係合させることにより、ガーニッシュ３’をフロントバンパ２に仮保持した状態にする。そして、この仮保持状態の下でフロントバンパ２及びガーニッシュ３’の表面を一緒に（同時に）塗装し、塗装終了後にガーニッシュ３’を更に押し込んでガーニッシュ３’の固定保持用係止爪１３を図５（Ｂ）に示すようにフロントバンパ２の取付穴８にクリック係合させることにより、ガーニッシュ３’をフロントバンパ２に対して正規の組付位置に固定状態で取付ける。このようにすれば、既述の実施形態の場合と同様に、ガーニッシュ３’の取付作業及び塗装作業を容易に行うことができ、フロントバンパ２及びガーニッシュ３’の塗色を同一の外観を呈するようにすることができる。
【００２１】
また、図６は、本発明の更に別の実施形態を示すものであって、本実施形態においては、ガーニッシュ本体部３ａ’’の裏面側の周縁箇所に設けられる複数（例えば５つ）の係止部１６ａ〜１６ｅのうち、少なくともガーニッシュ３’  ’の左右方向の両側端部に設けられる２つの係止部１６ａ，１６ｅに仮保持用係止爪１７がそれぞれ設けられている。すなわち、これらの係止部１６ａ，１６ｂは、既述の係止部１１ａ，１１ｄ，１１ｅ，１１ｈと同様に構成されており、固定保持用係止爪１８を有する固定保持用係止部αの先端に、仮保持用係止爪１７を有する仮保持用係止部βが延設されている。なお、このような仮保持用係止部βを全ての係止部１６ａ〜１６ｅに設けるようにしても良い。このような構成のガーニッシュ３’’によれば、既述の実施形態の場合と同様の作用効果を奏することができる。
【００２２】
以上、本発明の一実施形態について述べたが、本発明はこの実施形態に限定されるものではなく、本発明の技術的思想に基づいて各種の変形及び変更が可能である。例えば、固定保持用係止爪６，１３，１８及び仮保持用係止爪７，１４，１７の形状は任意に変更可能である。また、既述の実施形態では、仮保持用係止爪を固定保持用係止爪の形状と同じにしたが、仮保持用係止爪の形状は、ガーニッシュ３を仮保持できる形状であれば、どのような形状であっても良い。更に、フロントバンパ２に限らず、リヤパンパや各種の車体パネル等の車両構成部品にガーニッシュ３を取付ける場合にも本発明を適用可能である。さらに、既述の実施形態においては樹脂製のフロントバンパ２に樹脂製のガーニッシュ３を組付ける場合について述べたが、これら両部品は樹脂以外の材質（例えば、金属）から成るものであっても良い。
【００２３】
【発明の効果】
請求項１に記載の本発明は、ガーニッシュの固定保持用係止部に仮保持用係止部を更に設け、車両構成部品及びガーニッシュの塗装時に、仮保持用係止部を車両構成部品の被係止部に係合させることにより、ガーニッシュを車両構成部品に対して正規の組付位置の前の位置に仮保持し得るように構成したものであるから、ガーニッシュを車両構成部品に仮保持した状態の下でこれら両部品を一緒に塗装することにより両部品の表面全体に良好な塗膜を形成することができると共に、ガーニッシュの塗装の色とこのガーニッシュが取付けられる車両構成部品の塗装の色との色合わせを良好に行うことができる。また、塗装は１回の工程で車両構成部品及びガーニッシュの両方を同時に行うことができるので、塗装についての作業工数及びコストを削減することができる。しかも、塗装終了後には、ガーニッシュを更に押し込むだけの作業にてガーニッシュを正規の組付位置に容易に取付けることができる。また、車両構成部品へのガーニッシュの組付に際し、塗装終了後においてガーニッシュ及び車両構成部品の塗装面及び係止爪形状等が互いにぶつかり合うようなことがないので、ガーニッシュ及び車両構成部品どうしの傷つきを生じないで済むという利点がある。
【００２４】
また、請求項２に記載の本発明は、ガーニッシュの固定保持用係止部に係止爪を形成すると共に、固定保持用係止部の先端に仮保持用係止部として更にもう１段の係止爪を形成するようにしたものであるから、極めて簡単な構造にて仮保持用係止部を付設することができ、ガーニッシュの形状を簡素にすることができると共に、ガーニッシュを簡単にかつ安価に製作することが可能である。
【００２５】
また、請求項３に記載の本発明は、仮保持用係止部を、少なくともガーニッシュの左右方向両端箇所の近傍位置の上下両部に設けられる固定保持用係止部の先端に延設するようにしたものであるから、少なくともガーニッシュの４つの隅部にある仮保持用係止部を利用してガーニッシュを安定性良く仮保持することができ、仮保持状態の下での塗装作業を支障なく行うことが可能である。
【００２６】
また、請求項４に記載の本発明は、仮保持用係止部を、少なくともガーニッシュの左右方向の両側端部に設けられる固定保持用係止部の先端に延設するようにしたものであるから、少なくともガーニッシュの左右両部にある仮保持用係止部を利用してガーニッシュを安定性良く仮保持することができ、仮保持状態の下での塗装作業を支障なく行うことが可能である。
【００２７】
また、請求項５に記載の本発明は、仮保持用係止部の形状を固定保持用係止部の形状とほぼ同様に形成するようにしたものであるから、従来行なっていたガーニッシュ取付作業と同様の作業にてガーニッシュを仮保持位置に迅速かつ確実に設置することが可能となる。
【００２８】
また、請求項６に記載の本発明は、仮保持用係止部の先端に、車両構成部品の被係合部に仮保持用係止部をガイドするためのガイド部を更に設けるようにしたものであるから、ガーニッシュを車両構成部品に仮保持する際にガイド部を車両構成部品の被係止部に差し込むことにより、前記ガイド部と被係止部との間の案内作用にてガーニッシュの仮保持用係止部を前記被係止部にスムースに導くことができ、仮保持用係止部を前記被係止部に容易に係止することができる。
【００２９】
また、請求項７に記載の本発明は、車両構成部品が自動車のフロントバンパ又はリヤバンパであるようにしたものであるから、各種のガーニッシュが組付けられることが多いフロントバンパやリヤバンパに塗装の色合わせの問題を考慮することなく各種のガーニッシュを簡単に取付けることが可能となる。
【図面の簡単な説明】
【図１】本発明の一実施形態に係るガーニッシュの取付構造を備えた自動車の正面図である。
【図２】ガーニッシュの断面図である。
【図３】図１におけるＸ−Ｘ線拡大断面図であって、図３（Ａ）はガーニッシュを仮保持位置に保持した状態を示す断面図、図３（Ｂ）はガーニッシュを正規の組付位置に固定した状態を示す断面図である。
【図４】本発明の別の実施形態に係るガーニッシュの取付構造に用いられるガーニッシュの裏面図である。
【図５】図４におけるＹ−Ｙ線拡大断面図であって、図５（Ａ）はガーニッシュを仮保持位置に保持した状態を示す断面図、図５（Ｂ）はガーニッシュを正規の組付位置に固定した状態を示す断面図である。
【図６】本発明の更に別の実施形態に係るガーニッシュの取付構造に用いられるガーニッシュの斜視図である。
【図７】従来のガーニッシュの取付構造を示す断面図である。
【図８】図７において符号Ｚで示す部分を拡大して示す断面図である。
【符号の説明】
１  自動車
２  フロントバンパ（車両構成部品）
３，３’，３’’  ガーニッシュ
３ａ，３ａ’，３ａ’’  ガーニッシュ本体部
６，１３，１８  固定保持用係止爪
７，１４，１７  仮保持用係止爪
８  取付穴（被係止部）
９  ガイド部
１６ａ〜１６ｅ  係止部
α  固定保持用係止部
β  仮保持用係止部
【図１】
2004352002.tif 000003
【図２】
2004352002.tif 000004
【図３】
2004352002.tif 000005
【図４】
2004352002.tif 000006
【図５】
2004352002.tif 000007
【図６】
2004352002.tif 000008
【図７】
2004352002.tif 000009
【図８】
2004352002.tif 000010